(57)【特許請求の範囲】
【請求項１】
上面後部に起立壁部を有する袖状箱体と、前記起立壁部との間に間隙を形成するようにしてこの袖状箱体上に配された天板とを具備してなり、前記間隙の下に配線空間を設けてなる家具であって、前記袖状箱体の側壁上縁部に前記配線空間に連続する凹部を設け、この凹部と前記配線空間とによって配線類を通過させるための配線通路を形成し、その配線通路の内側にブラケットを片持的に支持させ、そのブラケットにオプション類を取り付け得るようにしており、
前記配線空間に底壁を備えた配線ダクトを設け、前記底壁に孔を設けて、この孔と前記ブラケットとによってオプション類を支持するようにしていることを特徴とする家具。
【請求項２】
配線空間に、天板の後端部を支持する前水平部と、この前水平部の後縁部から垂下させた前側の起立壁と、この起立壁の下縁部から後方に連続させた底壁とを少なくとも備えた配線ダクトを設け、この配線ダクトの起立壁の内側に前記ブラケットを装着していることを特徴とする請求項１記載の家具。
【請求項３】
起立壁に、取手を設けていることを特徴とする請求項２記載の家具。
【請求項４】
配線ダクトが、底壁の後縁部から起立した位置に後水平部を備え、前水平部及び後水平部をほぼ同一高さ位置に配して、この後水平部に起立壁部を支持させるとともに、起立壁部の高さを天板の厚みに略等しく設定していることを特徴とする請求項２又は３記載の家具。
【請求項５】
袖状箱体が、袖机の袖を構成するものであることを特徴とする請求項１、２、３又は４記載の家具。
【請求項６】
袖状箱体が、移動可能に支持されるワゴン本体であることを特徴とする請求項１、２、３又は４記載の家具。
【発明の詳細な説明】
【０００１】
【発明の属する技術分野】
本発明は、袖机やワゴン等として利用可能な家具に関するものである。
【０００２】
【従来の技術】
例えば、袖机やワゴン等には、上面後部に起立壁部を有する袖状箱体と、前記起立壁部との間に間隙を形成するようにしてこの袖状箱体上に配された天板とを具備してなり、前記間隙の下に配線空間を設けて、床から立ち上げた配線類や、天板から落とし込んだ配線類を収納しておけるようにしたものが知られている。
【０００３】
また、その一方で、前記配線空間の端部に、天板と起立壁部とに亘ってチャネル材を両持ち的に取り付け、このチャネル材の一部にタスクライトや電話台等のオプション部材を取り付けるための取付部を構成している例もある。
【０００４】
【発明が解決しようとする課題】
ところで、前記配線空間は、前述したオプション取付用のチャネル材によって塞がれた状態にあり、机から机へ横配線するための引出し口を側壁の上縁部分に十分に確保することが難しい。これに対して、配線空間を側方に開放すべく、側壁に前記配線空間に連続する凹部を設けて、この凹部と前記配線空間によって配線類を通過させるための配線通路を形成する構成も考えられるが、このようにすると配線通路を塞ぐ位置にある前記オプション取付用のチャネル材を取り外さなければならず、今度はオプション類の取付機能が犠牲になる。このように、従来のこの種の家具には、横配線機能とオプション取付機能とを好適に両立させることが難しいという課題がある。
【０００５】
【課題を解決するための手段】
上記の問題点を解決するために、本発明は、オプション類を取り付けるためのブラケットを採用し、配線空間内における取付構造に工夫を凝らすことで、横配線機能の妨げになることを有効に回避しようとするものである。
【０００６】
【発明の実施の形態】
そのために、本発明の家具は、上面後部に起立壁部を有する袖状箱体と、前記起立壁部との間に間隙を形成するようにしてこの袖状箱体上に配された天板とを具備し、前記間隙の下に配線空間を設けるようにする。そして、前記袖状箱体の側壁上縁部に前記配線空間に連続する凹部を設け、この凹部と前記配線空間とによって配線類を通過させるための配線通路を形成し、その配線通路の内側にブラケットを片持的に支持させ、そのブラケットにオプション類を取り付け得るようにしたことを特徴とする。
【０００７】
このような構成によれば、ブラケットは配線通路の内側に片持的に支持され、チャネル材のように配線通路全体に亘って両持ち的に支持されて配線通路を完全に塞ぐようなものではないため、ブラケットの反支持端側において配線通路を開放しておくことができる。このため、オプション類に対する取付機能を損なうことなく、横配線機能を備え併せた家具を有効に構成することが可能となる。
【０００８】
ブラケットの強度を有効に確保するためには、配線空間に、天板の後端部を支持する前水平部と、この前水平部の後縁部から垂下させた前側の起立壁と、この起立壁の下縁部から後方に連続させた底壁とを少なくとも備えた配線ダクトを設け、この配線ダクトの起立壁の内側に前記ブラケットを装着していることが望ましい。
【０００９】
オプション類に対する取付強度を有効に高めるためには、配線ダクトの底壁に孔を設け、この孔と前記ブラケットとによってオプション類を支持するようにしていることが好ましい。
【００１０】
前記のような配線ダクトを設けると、前側の起立壁が天板の後端部の下方に位置することとなり、天板の後端部が後方にオーバーハングした状態ではなくなるが、このようにしても天板の後端側に手を掛けて家具を持ち上げることができるようにするためには、前記起立壁に、取手を設けていることが有効となる。
【００１１】
家具の組み立て前の保管や搬送の便を向上させるためには、配線ダクトが、底壁の後縁部から起立した位置に後水平部を備え、前水平部及び後水平部をほぼ同一高さ位置に配して、この後水平部に起立壁部を支持させるとともに、起立壁部の高さを天板の厚みに略等しく設定していることが好都合である。
【００１２】
以上のような構成であるから、本発明は、袖状箱体が袖机の袖を構成する袖机や、袖状箱体が移動可能に支持されるワゴン本体であるワゴン等に適用して有用なものとなる。
【００１３】
【実施例】
以下、本発明の一実施例を、図面を参照して説明する。
【００１４】
図１は、本実施例の家具たる袖机を示している。この袖机は、使用者側から見て右側に位置して袖を構成する袖状箱体１と、左側に位置する脚体２とを備え、これら袖状箱体１と脚体２とに亘って天板３を支持してなるものである。
【００１５】
具体的に説明すると、袖状箱体１は、図１及び図２に示すように、左右の側壁１１と、後壁１２とを少なくとも具備し、前面に引出し１３を配置し、その上方を前記天板３に覆われているもので、上面後部に起立壁部４を有し、天板３の後端部３１と起立壁部４との間に間隙ｄを形成するとともに、その間隙ｄの下を配線空間５ｚとして、この配線空間５ｚに配線ダクト５を設けている。
【００１６】
起立壁部４は、図２及び図３及び図７に示すように、後壁１２の上縁から側壁１１に至るコーナー部に亘って形成されるもので、この起立壁部４を形成するにあたり、背壁１２と側壁１１とのコーナー部となる位置に前面側に角孔１５ａを有する角パイプ状の取付孔１５が設けられるとともに、その側方に位置する後記配線ダクト５の後水平部５５に上方に向けてフック孔５５ａが開口させてある。そして、前記取付孔１５に樹脂製のコーナーキャップ４１を、該キャップ４１に設けた爪４１ａを前述した角孔１５ａに係わり合わせることによって装着するとともに、このコーナーキャップ４１の側方において前記後水平部５５に嵩上げ部材４２を、該嵩上げ部材４２に設けた爪４２ａを前記フック孔５５ａに係わり合わせることによって装着し、更に嵩上げ部材４２を抱くようにコーナーキャップ４１の内側突起部４１ｂ、４１ｂ間に逆Ｌ字状の化粧カバー４３を被覆して、これらコーナーキャップ４１、嵩上げ部材４２及び化粧カバー４３により前述した起立壁部４を構成している。
【００１７】
また、袖状箱体１の側壁１１の上縁部には、下方に矩形状に切欠くことによって切欠１１ａが設けてある。この切欠１１ａは、前後に対向する一対の起立縁１１ａ１及びその間を連続させる底縁１１ａ２によって部分的に包囲され、上縁側が開放されているもので、この切欠１１ａの縁に沿って枠体１１ｂを取付け、この枠体１１ｂの内縁に、前記配線ダクト５に連続する凹部１１ｂ１を設定している。この凹部１１ｂ１は、必要に応じて横蓋１１ｃを装着することにより塞ぐことができるようにしてある。
【００１８】
一方、配線ダクト５は、図２〜図７に示すように、前水平部５１と、この前水平部５１の後縁部から垂下させた前側の起立壁５２と、この起立壁５２の下縁部から後方に連続させた底壁５３と、この底壁５３の後縁部から階段状に起立させた後側の起立壁５４と、この起立壁５４の上縁部に連続させた後水平部５５とを具備してなる概略チャネル状をなす板金製のもので、袖状箱体１を構成する側壁１１や背壁１２の内面に溶接など適宜の手段によって取り付けられている。そして、前水平部５１に天板３の後端部３１を支持させ、後水平部５５に前述したコーナーキャップ４１、嵩上げ部材４２及び化粧カバー４３からなる起立壁部４を支持させるようにしている。図７に示すように、この後水平部５５と前記前水平部５１とはほぼ同一高さ位置（厳密には前者が若干低い位置）に設定され、前記起立壁部４の高さ寸法は天板３の厚み寸法に略等しい関係（厳密には前者が若干高い関係）に設定されて、天板３の上面３ｘと起立壁部４の上面４ｘとがほぼ面一となるようにしてある。また、前側の起立壁５２は、天板３の後端部３１のほぼ真下に位置づけてあり、その一部に長孔状の開口５２ａが板金素材の塑性変形加工によって形成されている。この開口５２ａには、机を持ち上げるときに取手として利用できるように、手の掛け易いカール部５２ａ１が内縁に設けてある。
【００１９】
そして、配線ダクト５と前記凹部１１ｂ１とによって、配線通路Ｔを形成し、この配線通路Ｔを通じて床から立ち上げ、或いは天板３から落とし込んだ配線類Ｃを、袖状箱体１の側方から引き出して隣接配置される机の配線ダクト等に導くことができるようにしている。なお、この配線通路Ｔを使用しないときは、前述した横蓋１１ｃを装着しておけばよい。
【００２０】
一方、この実施例は、天板３の後端側に図１に示すようなタスクライト等のオプション類Ｏを取り付けることができるようにしている。そして、そのために、前記配線通路Ｃを形成する前側の起立壁５２の内側に、図２及び図７に示すブラケット６を片持的に支持させている。詳述すると、前側の起立壁５２には、図５に示すように、下方に向かって漸次巾狭となる対をなす第１のフック孔５２ｂと、上方に向かって漸次或いは段階的に巾狭となる第２のフック孔５２ｃ、５２ｃ１とが設けてある。これに対して、ブラケット６は、図２、図３及び図７に示すように、前記第１のフック孔５２ｂに上方から挿入して下方に移動させることにより引っ掛け可能な下向きの爪６１ａを有した第１の取付金具６１と、前記第２のフック孔５２ｃ、５２ｃ１に下方から挿入して上方に移動させることにより引っ掛け可能な上向きの爪６２ａを有した第２の取付金具６２と、これら第１、第２の取付金具６１、６２を相互に引き寄せるねじ要素６３とを備えている。そして、第１の取付金具６１と、前述した配線ダクト５の底壁５３とに、図３及び図７に示すように互いに上下方向に合致する貫通孔６１ｂ、５３ｂを設けておき、両取付金具６１、６２をねじ要素６３によって前記フック孔５２ｂ、５２ｃ、５２ｃ１に上下から係わり合わせた状態で、貫通孔６１ｂ、５３ｂにパイプ状のオプション取付金具６４を上方から差し込んでその位置に保持させ得るようにしている。しかして、この取付状態で、起立壁５２からのブラケット６の後方への突出量は、配線通路Ｔの前後巾Ｗ（図７参照）よりも小さくなるように設定し、後方にブラケット６に侵されない配線通路Ｔを確保できるようにしている。
【００２１】
なお、図１及び図７に示すように、天板３の後端部３１に設けられる溝３１ｙと化粧カバー４３の前縁に設けられる溝４３ｙとの間には、端部にシャッタ７１ａを有したダクトカバー７１が装着可能としてあり、また、天板３の前記溝３１ｙとコーナーキャップ４１の前面に設けられる溝４１ｙとの間には、一部に開閉蓋７２ａを有したサイドカバー７２が装着可能としてある。図１は、開閉蓋７２ａを開けてオプション取付用の取付金具６４を上方に表出させた状態を示しているものである。図示例では、タスクライト等のオプション類Ｏは、下端をオプション取付金具６４の開口に差し込んで取り付けられるようにしているが、オプション取付金具６４がオプション類Ｏ側に付帯しており、このオプション取付金具６４を前記貫通孔６１ｂ、５３ｂに差し込むことによってオプション類Ｏを取り付け得るように構成することも勿論可能である。
【００２２】
以上のようにして、この実施例の袖机は、袖状箱体１の側壁１１の上縁部に配線ダクト５に連続する凹部１１ｂ１を設け、この凹部１１ｂ１と前記配線ダクト５とによって配線類Ｃを通過させるための配線通路Ｔを形成し、その配線通路Ｔの内側にブラケット６を片持的に支持させ、そのブラケット６にタスクライト等のオプション類Ｏを取り付け得るようにしている。
【００２３】
このように、ブラケット６は配線通路Ｔの内側に片持的に支持され、チャネル材のように配線通路Ｔの全体に亘って両持ち的に支持されて該配線通路Ｔを完全に塞ぐようなものではないため、ブラケット６の反支持端側において配線通路Ｔを有効に開放しておくことができる。このため、オプション類Ｏに対する取付機能を損なうことなく、横配線機能を備え併せた袖机としての利用価値を有するものとなる。
【００２４】
また、配線空間５ｚに設けられる配線ダクト５を、天板３の後端部３１を支持する前水平部５１と、この前水平部５１の後縁部から垂下させた前側の起立壁５２と、この起立壁５２の下縁部から後方に連続させた底壁５３とを少なくとも備えたものとし、その起立壁５２に前記ブラケット６を装着している。すなわち、従来のこの種の天板支持構造に比べて、前側の起立壁５２を天板の後端部３１とほぼ合致する位置にまで後退した位置に設定している。このため、ブラケット６を起立壁５２に支持させるに際して、後方へ大きく持ち出した状態で取り付ける必要がなくなり、ブラケット６の強度を有効に確保しておくことができる。
【００２５】
加えて、配線ダクト５の底壁５３に貫通孔５３ｂを設け、この貫通孔５３ｂと前記ブラケット６の貫通孔６１ｂとによってオプション類Ｃを両持ち的に支持するようにしているため、オプション類Ｏに対する取付強度を有効に高めることができる。
【００２６】
但し、このような位置に起立壁５２を有する配線ダクト５を採用すると、前述したように天板３の後端部３１が後方にオーバーハングしなくなるため、従来のようにそのオーバーハング部分において天板３の後端部３１に手を掛け、袖机を持ち運ぶような事ができなくなる。しかしながら、本実施例は、前記起立壁５２に、取手となる開口５２ａを設けているため、天板３の後端部３１と起立壁部４との間隙ｄから手を差し込んでこの開口５２ａに手を掛ければ袖机を有効に持ち上げて移動させることが可能になる。しかも、その開口５２ａにはカール部５２ａ１が設けてあるため、持ちやすい状態を確保しておくことができる。
【００２７】
特に、配線ダクト５を、前記底壁５３の後縁部から階段状に起立させた後側の起立壁５４と、この起立壁５４の上縁部から連続させた後水平部５５とを備え、前水平部５１及び後水平部５５をほぼ同一高さ位置に配して、この後水平部５５に起立壁部４を支持させるとともに、起立壁部４の高さを天板３の厚みに略等しく設定して、天板３の上面３ｘと起立壁部４の上面４ｘとを等しい高さ位置に配置しているため、天板面の使用に不都合がないばかりか、天板３と起立壁部４とを取り去った状態ではそれら上面３ｘ、４ｘに別異の袖机を載置することができるほか、部分的に突出した部位がないため梱包にも好都合であるなど、袖机の組み立て前の状態での保管や搬送の便を有効に向上させることが可能となる。
【００２８】
以上のような構成であるから、本実施例は、配線類Ｃを使用する機会が極めて多い袖机のほか、移動可能なワゴン等に適用しても極めて有用なものとなり得る。
【００２９】
なお、各部の具体的な構成は、図示実施例のものに限定されるものではなく、本発明の趣旨を逸脱しない範囲で種々変形が可能である。例えば、前記実施例ではオプション取付用のブラケットを配線ダクトの前側の起立壁に取り付けているが、後側の起立壁を始め適宜の部位に取り付けることができるのは勿論である。
【００３０】
【発明の効果】
本発明は、以上説明したような形態で実施され、以下に記載される効果を奏する。
【００３１】
すなわち、本発明の家具は、袖状箱体の上面後部に起立壁部を設けて天板との間に間隙を形成し、その間隙の下に配線空間を設けた構成において、袖状箱体の側壁上縁部に前記配線空間に連続する凹部を設けて、これら凹部と配線空間によって配線通路を形成するとともに、その配線通路の内側にオプション類を取り付けるためのブラケットを片持的に支持させたものである。
【００３２】
このため、ブラケットの反支持端側に配線通路を開放して、オプション類に対する取付機能を損なうことなく、横配線機能を備え併せた家具を有効に構成することができ、袖机やワゴン等に適用することによってその利用価値を効果的に高めることが可能となる。
【００３３】
特に、配線空間に、天板の後端部を支持する前水平部と、この前水平部の後縁部から垂下させた前側の起立壁と、この起立壁の下縁部から後方に連続させた底壁とを少なくとも備えた配線ダクトを設け、この配線ダクトの起立壁にブラケットを装着するようにすれば、ブラケットを前側の起立壁から後方へ大きく持ち出す必要がないので、荷重支持位置を極力起立壁に近い位置に設定して、有効な強度を確保しておくことができる。
【００３４】
また、配線ダクトの底壁に孔を設け、この孔と前記ブラケットとによってオプション類を支持するようにすれば、オプション類Ｏに対する取付強度を有効に高めることができる。
【００３５】
また、このように天板を後方にオーバーハングさせない構成を採用しても、起立壁に取手を形成しておけば、この取手を利用して家具の持ち運びなどを有効に行うことができる。
【００３６】
更に、配線ダクトに起立壁部を支持する後水平部をも設け、前水平部及び後水平部をほぼ同一高さ位置に配するとともに、起立壁部の高さを天板の厚みに略等しく設定しておけば、天板面の使用に不都合がない上に、天板と起立壁部を取り去った状態での保管や搬送の便を有効に向上させることが可能となる。
【００３７】
以上のように、本発明は、配線類を使用する機会の多い袖机やワゴン等に適用して極めて有用なものとなり得る。
【図面の簡単な説明】
【図１】本発明の一実施例を示す斜視図。
【図２】同実施例の要部拡大斜視図。
【図３】図２の分解斜視図。
【図４】同実施例の配線ダクトを示す平面図。
【図５】同正面図。
【図６】同右側面図。
【図７】図４におけるＡ−Ａ線階段断面図。
【符号の説明】
１…袖状箱体
３…天板
４…起立壁部
５…配線ダクト
５ｚ…配線空間
６…ブラケット
１１ｂ１…凹部
５１…前水平部
５２…前側の起立壁
５２ａ…取手（開口）
５３…底壁
５５…後水平部
Ｃ…配線類
ｄ…間隙
Ｏ…オプション類
Ｔ…配線通路
【図１】
0003608460.tif 000002
【図２】
0003608460.tif 000003
【図３】
0003608460.tif 000004
【図４】
0003608460.tif 000005
【図５】
0003608460.tif 000006
【図６】
0003608460.tif 000007
【図７】
0003608460.tif 000008